(57)【要約】  表示システムは、表示装置と、入力装置とを備える表示システムであって、前記表示装置は、画像を表示する表示部と、前記表示部に前記画像を表示させる画像信号処理部と、前記入力装置からの信号を受信する受信部と、を備え、前記入力装置は、前記表示部の一部の領域の色である対象色を検出し、該対象色の色情報である対象色情報を取得する検出部と、登録色情報を記憶する記憶部と、前記対象色情報と前記登録色情報とが一致するか否かを判定する色判定処理を行い、前記対象色情報と前記登録色情報とが一致する場合に、色判定信号を生成する色判定処理部と、前記色判定信号を送信する送信部と、を備え、前記画像信号処理部は、前記対象色を順次変更する色変更処理を行うとともに、前記受信部が前記色判定信号を受信した場合に、前記色変更処理を停止する。
2016056116.tif 000002
【特許請求の範囲】
【請求項１】
表示装置と、第１の入力装置とを備える表示システムであって、
前記表示装置は、
画像を表示する表示部と、
前記表示部に前記画像を表示させる画像信号処理部と、
前記第１の入力装置からの信号を受信する受信部と、
を備え、
前記第１の入力装置は、
前記表示部に表示される第１の領域の色である第１の対象色を検出し、該第１の対象色の色情報である第１の対象色情報を取得する第１の検出部と、
第１の登録色情報を記憶する第１の記憶部と、
前記第１の対象色情報と前記第１の登録色情報とが一致するか否かを判定する第１の色判定処理を行い、前記第１の対象色情報と前記第１の登録色情報とが一致する場合に第１の色判定信号を生成する第１の色判定処理部と、
前記第１の色判定信号を送信する第１の送信部と、
を備え、
前記画像信号処理部は、前記第１の対象色を順次変更する第１の色変更処理を行うとともに、前記受信部が前記第１の色判定信号を受信した場合に、前記第１の色変更処理を停止する、
表示システム。
【請求項２】
前記表示システムは、位置検出装置をさらに備え、
前記位置検出装置は、
前記第１の入力装置による前記表示部への入力位置を示す位置情報を検出する位置検出部、
を備え、
前記第１の領域は、前記位置検出部が検出した位置情報が示す入力位置に対応した領域を含む
請求項１に記載の表示システム。
【請求項３】
前記表示システムは、情報処理装置をさらに備え、
前記情報処理装置は、
前記位置検出部が検出する位置情報に基づいて、前記画像を示す画像信号を生成する画像信号生成部
を備え、
前記画像信号処理部は、前記画像信号生成部が生成した前記画像信号が示す画像を前記表示部に表示させる
請求項２に記載の表示システム。
【請求項４】
前記表示装置において、
前記画像信号処理部は、前記第１の対象色として所定の色を表示させた後に前記第１の色変更処理を行い、
前記第１の入力装置において、
前記第１の記憶部は、前記所定の色を示すトリガ情報を記憶し、
前記第１の色判定処理部は、前記第１の対象色情報と前記トリガ情報とが一致するか否かを判定し、前記第１の対象色情報と前記トリガ情報とが一致する場合に、前記第１の色判定処理を開始する
請求項１から請求項３のいずれか一項に記載の表示システム。
【請求項５】
前記表示部が表示する前記画像は、フレームに対応付けられた時系列の画像であり、
前記第１の領域は、前記画像が有する画素のうち、２つのフレームに対応する２つの画像間において、表示が異なる画素により構成される領域を含む
請求項１から請求項４のいずれか一項に記載の表示システム。
【請求項６】
前記表示システムは、第２の入力装置をさらに備え、
前記第２の入力装置は、
前記表示部に表示される第２の領域の色である第２の対象色を検出し、該第２の対象色の色情報である第２の対象色情報を取得する第２の検出部と、
第２の登録色情報を記憶する第２の記憶部と、
前記第２の対象色情報と前記第２の登録色情報とが一致するか否かを判定する第２の色判定処理を行い、前記第２の対象色情報と前記第２の登録色情報とが一致する場合に、第２の色判定信号を生成する第２の色判定処理部と、
前記第２の色判定信号を送信する第２の送信部と、
を備え、
前記画像信号処理部は、前記第２の対象色を順次変更する第２の色変更処理を行うとともに、前記受信部が前記第２の色判定信号を受信した場合に、前記第２の色変更処理を停止する、
請求項１から請求項５のいずれか一項に記載の表示システム。
【請求項７】
前記画像信号処理部は、前記第１の色変更処理と前記第２の色変更処理とを順次行う
請求項６に記載の表示システム。
【請求項８】
前記第１の入力装置は、
前記第１の検出部が検出した第１の対象色情報を、前記第１の登録色情報として前記第１の記憶部に記憶させる第１の登録処理部、
を備える請求項１から請求項７のいずれか一項に記載の表示システム。
【請求項９】
前記第１の入力装置は、
前記第１の登録処理部が前記第１の記憶部に前記第１の登録色情報を記憶させたことを報知する第１の報知部、
を備える請求項８に記載の表示システム。
【請求項１０】
前記画像信号処理部は、第１の色変更処理を停止したときに前記表示部に表示させていた画像を示す色変更画像情報を、不揮発メモリに記憶させ、又は、他の装置へ出力する
請求項１から請求項９のいずれか一項に記載の表示システム。
【請求項１１】
画像を表示する表示部と、
前記表示部に前記画像を表示させる画像信号処理部と、
入力装置からの信号を受信する受信部と、
を備え、
前記画像信号処理部は、前記表示部の一部の領域の色を順次変更する色変更処理を行うとともに、前記受信部が前記入力装置から色変更処理の停止を指示する信号を受信した場合、前記色変更処理を停止する
表示装置。
【請求項１２】
表示装置が備える表示部の一部の領域の色である対象色を検出し、該対象色の色情報である対象色情報を取得する検出部と、
登録色情報を記憶する記憶部と、
前記対象色情報と前記登録色情報とが一致するか否かを判定する色判定処理を行い、前記対象色情報と前記登録色情報とが一致する場合に、色判定信号を生成する色判定処理部と、
前記色判定信号を前記表示装置に送信する送信部と、
を備える入力装置。
【請求項１３】
画像を表示する表示部を備える表示装置と、第１の登録色情報を記憶する第１の記憶部を備える第１の入力装置とを備える表示システムにおける表示方法であって、
前記表示装置が、前記表示部の一部の第１の領域の色である第１の対象色を順次変更する第１の色変更処理を行う第１ステップと、
前記第１の入力装置が、前記第１の対象色を検出し、該第１の対象色の色情報である第１の対象色情報を取得する第２ステップと、
前記第１の入力装置が、前記第１の対象色情報と前記第１の登録色情報とが一致するか否かを判定する第１の色判定処理を行い、前記第１の対象色情報と前記第１の登録色情報とが一致する場合に、第１の色判定信号を生成する第３ステップと、
前記第１の入力装置が、前記第１の色判定信号を送信する第４ステップと、
前記表示装置が、前記第１の色判定信号を受信した場合に、前記第１の色変更処理を停止する第５ステップと、
前記表示装置が、前記第１の対象色を前記第５ステップにおいて前記第１の色変更処理を停止したときの色とした画像を前記表示部に表示させる第６ステップと、
を含む表示方法。
【発明の詳細な説明】
【技術分野】
【０００１】
本発明は、表示システム、入力装置、表示装置、及び表示方法に関する。
【背景技術】
【０００２】
近年、表示装置と位置検出装置とを組み合わせたタッチパネルが普及し、電子黒板など大型の機器にも採用されている。タッチパネルのような位置検出装置では、例えば、抵抗膜方式、表面型静電容量方式、投影型静電容量方式など、位置入力を検出するための方式が多数考案されている。また、例えば、電子黒板などにおいて、複数のカラー撮像素子用いることで位置入力とともに色情報を検出し、ユーザにより描画された画像に色を付けて表示することが考えられている（例えば、特許文献１）。
【先行技術文献】
【特許文献】
【０００３】
【特許文献１】特開２００１−６７１８３号公報
【発明の概要】
【発明が解決しようとする課題】
【０００４】
しかしながら、上述のような技術では、位置入力が複数の領域で同時に行われた場合、各位置入力に対して色情報を対応付けることができないことがあった。例えば、電子黒板上で複数人が同時に、異なる色で描画を行う場合、それぞれが入力した位置情報に、それぞれが入力した色情報を対応付ける必要がある。ところが、上述のような技術では、このような状況は想定されていないため、各位置入力に対して色情報を対応付けることができなかった。従って、色入力の操作性を向上させることができない可能性があった。【０００５】
本発明は上記の点に鑑みてなされたものであり、色入力の操作性を向上させることができる表示システム、入力装置、表示装置、及び表示方法を提供する。
【課題を解決するための手段】
【０００６】
（１）本発明は上記の課題を解決するためになされたものであり、本発明の一態様は、表示装置と、第１の入力装置とを備える表示システムであって、前記表示装置は、画像を表示する表示部と、前記表示部に前記画像を表示させる画像信号処理部と、前記第１の入力装置からの信号を受信する受信部と、を備え、前記第１の入力装置は、前記表示部に表示される第１の領域の色である第１の対象色を検出し、該第１の対象色の色情報である第１の対象色情報を取得する第１の検出部と、第１の登録色情報を記憶する第１の記憶部と、前記第１の対象色情報と前記第１の登録色情報とが一致するか否かを判定する第１の色判定処理を行い、前記第１の対象色情報と前記第１の登録色情報とが一致する場合に、第１の色判定信号を生成する第１の色判定処理部と、前記第１の色判定信号を送信する第１の送信部と、を備え、前記画像信号処理部は、前記第１の対象色を順次変更する第１の色変更処理を行うとともに、前記受信部が前記第１の色判定信号を受信した場合に前記第１の色変更処理を停止する、表示システムである。【０００７】
（２）また、本発明の一態様は、画像を表示する表示部と、前記表示部に前記画像を表示させる画像信号処理部と、入力装置からの信号を受信する受信部と、を備え、前記画像信号処理部は、前記表示部の一部の領域の色を順次変更する色変更処理を行うとともに、前記受信部が前記入力装置から色変更処理の停止を指示する信号を受信した場合、前記色変更処理を停止する表示装置である。【０００８】
（３）また、本発明の一態様は、表示装置が備える表示部の一部の領域の色である対象色を検出し、該対象色の色情報である対象色情報を取得する検出部と、登録色情報を記憶する記憶部と、前記対象色情報と前記登録色情報とが一致するか否かを判定する色判定処理を行い、前記対象色情報と前記登録色情報とが一致する場合に、色判定信号を生成する色判定処理部と、前記色判定信号を前記表示装置に送信する送信部と、を備える入力装置である。【０００９】
（４）また、本発明の一態様は、画像を表示する表示部を備える表示装置と、第１の登録色情報を記憶する第１の記憶部を備える第１の入力装置とを備える表示システムにおける表示方法であって、前記表示装置が、前記表示部の一部の第１の領域の色である第１の対象色を順次変更する第１の色変更処理を行う第１ステップと、前記第１の入力装置が、前記第１の対象色を検出し、該第１の対象色の色情報である第１の対象色情報を取得する第２ステップと、前記第１の入力装置が、前記第１の対象色情報と前記第１の登録色情報とが一致するか否かを判定する第１の色判定処理を行い、前記第１の対象色情報と前記第１の登録色情報とが一致する場合に、第１の色判定信号を生成する第３ステップと、前記第１の入力装置が、前記第１の色判定信号を送信する第４ステップと、前記表示装置が、前記第１の色判定信号を受信した場合に、前記第１の色変更処理を停止する第５ステップと、前記表示装置が、前記第１の対象色を前記第５ステップにおいて前記第１の色変更処理を停止したときの色とした画像を前記表示部に表示させる第６ステップと、を含む表示方法である。
【発明の効果】
【００１０】
本発明によれば、色入力の操作性を向上させることができる。
【図面の簡単な説明】
【００１１】
【図１】本発明の第１の実施形態に係る表示システムの概略構成を示す模式図である。
【図２】本発明の第１の実施形態に係る表示システムの動作の概要を説明するための図である。
【図３】本発明の第１の実施形態に係る色変更処理の概要を説明するための図である。
【図４】本発明の第１の実施形態に係る表示システムの概略機能構成を示すブロック図である。
【図５】本発明の第１の実施形態に係る表示装置が記憶する画像信号が表す画像の例を示す図である。
【図６】本発明の第１の実施形態に係る表示システムによる処理の流れの一例を示すシーケンス図である。
【図７】本発明の第１の実施形態に係る入力装置による色登録処理の流れの一例を示すフローチャートである。
【図８】本発明の第１の実施形態に係る表示装置による色変更処理の流れの一例を示すフローチャートである。
【図９】本発明の第１の実施形態に係る入力装置による色判定処理の流れの一例を示すフローチャートである。
【図１０】本発明の第２の実施形態に係る表示システムの動作の概要を説明するための図である。
【図１１】本発明の第２の実施形態に係る色変更処理の概要を説明するための図である。
【図１２】本発明の第２の実施形態に係る表示システムの概略機能構成を示すブロック図である。
【図１３】本発明の第２の実施形態に係る表示装置における色変更処理の流れの一例を示すフローチャートである。
【図１４】本発明の変形例に係る表示システムの概略機能構成を示すブロック図である。
【発明を実施するための形態】
【００１２】
（第１の実施形態）
以下、図面を参照しながら本発明の第１の実施形態について説明する。
まず、図１から図３を参照して、第１の実施形態に係る表示システム１の概要を説明する。
図１は、表示システム１の概略構成を示す模式図である。
表示システム１は、入力装置１０、表示部２１を備える表示装置２０、情報処理装置３０、位置検出装置４０を含んで構成される。表示装置２０が備える表示部２１の表示面には、位置検出装置４０が積層配置されており、表示部２１、情報処理装置３０、及び位置検出装置４０は、いわゆるタッチパネル５０を構成する。このタッチパネル５０は、ユーザの指や入力装置１０のタッチに応じてタッチされた部位に対応する表示画素の出力を変化させ、ユーザによる手書き入力と入力結果の表示とを可能とする。以下、表示装置２０が、手書き入力された画像を表示することを「描画」という。
【００１３】
なお、タッチとは、タッチパネル５０に対してユーザの指や入力装置１０が接触、当接、又は近接することをいう。つまり、タッチにおいて、接触は必須ではなく、タッチパネル５０に対してユーザの指や入力装置１０が所定の距離以内で離間していてもよい。
【００１４】
入力装置１０は、ペン型の筐体１０１を備える。当該ペンの先端部に孔部１０２を有している。入力装置１０は、ペン型の筐体１０１の先端部に接する対象物の色を検出可能な検出部（カラーセンサ）１１を、筐体１０１の内部に有する。検出部１１は、対象物から射出され、孔部１０２から入射する光線を検出することにより、対象物の色を検出する。入力装置１０は、スイッチ部１２及びインジケータ部１３を含んで構成される。スイッチ部１２は、例えば、筐体１０１から突出した物理的なボタンとして備えられ、その押下に応じて、入力装置１０に後述する色登録処理を開始させる機能を有する。また、インジケータ部１３は、例えば、ＬＥＤ（Ｌｉｇｈｔ  Ｅｍｉｔｔｉｎｇ  Ｄｉｏｄｅ）などの発光体であり、入力装置１０が行う各種処理の開始や完了を、点灯、点滅などにより、ユーザに報知する。ここで、インジケータ部１３は、自装置のユーザに表示、音、振動などにより情報を報知する報知部の一例である。また、入力装置１０は、通信部（入力装置側通信部）１４を備え、表示装置２０と、無線又は有線により通信することができる。
【００１５】
表示装置２０は、例えば、電子黒板、インタラクティブ・ホワイトボードなどを構成する電子機器である。表示装置２０は、情報処理装置３０が出力した画像信号に基づいて、表示を行う。
位置検出装置４０は、ユーザによるタッチパネル５０の表示面へのタッチを検出し、タッチされた領域の座標を表す位置情報を生成する。以下では、タッチパネル５０においてタッチが検出された領域、すなわち、タッチに対応する表示部２１の一部の領域を「タッチ領域」という。つまり、タッチ領域は、タッチパネル５０においてタッチされた位置に対応する表示部２１の画素である。なお、タッチ領域は、実際にタッチが検出されている位置情報について、広がりを持った領域であってもよい。具体的には、ユーザが太い線による手書き入力を行う場合、その線の太さに応じ、位置情報が示す画素近傍の画素がタッチ領域に含められてもよい。また、タッチ領域は、表示装置２０の処理フレーム毎にそれまでタッチされていた領域を含む。
情報処理装置３０は、位置検出装置４０が生成した位置情報に基づいて、画像信号を生成する。
【００１６】
表示システム１の動作の概要を説明する。
まず、ユーザは、描画において、入力装置１０のペン先を表示装置２０にタッチさせる。次に、表示装置２０は、タッチパネル５０により、入力装置１０などのタッチを検出すると、タッチ領域の色を順次変更する処理を実行する。以下では、タッチ領域の色を「対象色」ということがある。また、以下では、この処理を「色変更処理」という。他方、入力装置１０は、色判定処理を実行する。色判定処理において、入力装置１０の検出部１１は、そのペン先がタッチしている領域の色、すなわち対象色を順次検出し、該対象色を示す色情報である対象色情報を取得する。色情報とは、色を示す情報である。色情報は、例えば、タッチ領域の色を順次変更する処理において、変更する色を特定する情報である。また、色情報は、例えば、検出部１１が色を検出する際の検出値であってもよい。次に、入力装置１０は、検出部１１が検出した対象色情報と、その記憶部１５に記憶されている登録色情報とを順次比較し、対象色情報と登録情報とが一致するか否かを判定する。ここで、登録色情報とは、例えば、後述する色登録処理などにより、記憶部１５に登録された色の色情報である。次に、入力装置１０は、判定結果に基づいて、色判定信号を表示装置２０に送信する。より具体的には、表示装置２０は、色判定信号を受信すると、当該色判定信号に基づいて色変更処理を制御し、タッチされた領域の色を確定する。
【００１７】
なお、色判定信号は、例えば、表示装置２０による色変更処理を停止させるための信号である。この場合、表示装置２０は、色変更処理において、当該色判定信号を受信するまで、タッチ領域の色を、例えば所定の時間間隔で変更する。そして、表示装置２０は、当該色判定信号を受信したときに表示していた色を、タッチされた領域の色に確定する。また、色判定信号は、例えば、色変更処理を進めるための信号であってもよい。この場合、表示装置２０は、色変更処理において、当該色判定信号を受信するとタッチされた領域の色を変更する。これに対し、表示装置２０は、当該色判定信号が所定時間以上受信できない場合、そのときに表示していた色を、タッチされた領域の色に確定する。
以下では、一例として、色判定信号が色変更処理を停止させるための信号（以下、「色変更停止命令」という。）であるとして説明する。
【００１８】
次に、図２を参照して、入力装置１０による色登録処理について説明する。
図２は、表示システム１の動作の概要を説明するための図である。
図２に示される例において、タッチパネル５０は、カラーマーカＭ１〜Ｍ３を表示している。カラーマーカＭ１〜Ｍ３は、それぞれ異なる色を表すマーカであり、入力装置１０により入力可能な色を表す。カラーマーカが表す色は、ユーザにより任意に選択されてよい。図２、図３、図１０、及び図１１において、各領域のハッチングは、それぞれ色を表している。以下では、一例として、カラーマーカＭ１〜Ｍ３が、それぞれ、赤色、青色、緑色を表示しているとして説明する。カラーマーカＭ１〜Ｍ３が表す色による描画は、入力装置１０が、カラーマーカＭ１〜Ｍ３が表す色を自装置に登録することにより可能となる。以下では、描画の色を指定するために入力装置１０が色を登録する処理のことを「色登録処理」という。
【００１９】
色登録処理の一例について説明する。ユーザは、入力装置１０のペン先をカラーマーカＭ１〜Ｍ３のいずれかにタッチさせ、スイッチ部１２を押下する。スイッチ部１２が押下されると、入力装置１０は、検出部１１が検出した色に関する色情報を、記憶部１５に記憶させることにより、タッチしているカラーマーカが表す色を登録する。登録が完了すると、入力装置１０は、インジケータ部１３を点灯させ、色登録処理の完了をユーザに報知する。
【００２０】
次に、図２及び図３を参照して、表示装置２０による色変更処理の概要について説明する。
図２に示される例において、入力装置１０は、そのペン先でタッチパネル５０の領域２１１にタッチしている。タッチパネル５０へのタッチが検出されると、表示装置２０は、このタッチ領域２１１の色を順次変更する色変更処理を行う。
【００２１】
色変更処理について、説明する。まず、タッチパネル５０へのタッチが検出されると、表示装置２０は、色変更処理を開始する。次に、表示装置２０は、タッチ領域にトリガを表示させる。そして、表示装置２０は、入力装置１０が登録可能な色を予め定められた順序で変更する。
なお、トリガとは、入力装置１０に後述する色判定処理を開始させるためのトリガである。トリガは、例えば、所定の色を表示することである。また、トリガは、例えば、複数の色を所定の順序で表示することである。以下では、一例として、トリガは、黒色の次に白色を表示することであるとして説明する。
【００２２】
図３は、色変更処理の概要を説明するための図である。
図３は、図２に示される領域２１１の色の経時変化を示す。図３に示される例において、横軸は、時間ｔを示し、時点Ｔ１〜Ｔ７へと時間が遷移している。すなわち、表示装置２０は、図３において時点Ｔ１〜Ｔ７にそれぞれ対応付けられている色へと、タッチ領域２１１の色を順次変更する。具体的には、表示装置２０は、入力装置１０から色変更停止命令を受信しない限り、時点Ｔ１〜Ｔ７において、タッチ領域２１１の色を、例えば、白色、黒色、白色、赤色、青色、緑色、黒色の順に変更する。なお、色変更処理において表示される色の順序は、ユーザや表示装置２０のメーカなどにより任意に定められてよい。また、色変更処理において、各色を表示する時間長は、一定でなくてもよい。例えば、表示装置２０は、トリガの色を他の色に比して長めに表示してもよい。
【００２３】
図３において、時点Ｔ１はタッチパネル５０へのタッチが検出される前の時点である。時点Ｔ２はタッチパネル５０へのタッチが検出された直後の時点である。つまり、時点Ｔ１から時点Ｔ２の間に、タッチパネル５０へのタッチが検出され、表示装置２０は、色変更処理を開始している。そして、まず時点Ｔ２とＴ３とにおいて、黒色と白色とのトリガを表示することで入力装置１０に、色判定処理を開始させる。その後、表示装置２０は、色変更停止命令を受信するまで、順次色を変更する。例えば、時点Ｔ５から時点Ｔ６までの間に色変更停止命令を受信すると、表示装置２０は、タッチ領域２１１の色の変更を停止し、そのとき表示していた青色に確定する。色変更停止命令が受信されない場合、表示装置２０は、色の変更が一巡した時点で、タッチ領域２１１の色を黒色など所定の色に確定する。これにより、例えば、ユーザが入力装置１０を用いずに指などでタッチした場合には、表示装置２０は、所定の色による描画を行うことができる。
【００２４】
次に、図４を参照して、表示システム１に含まれる各種装置の構成について説明する。
図４は、入力装置１０と表示装置２０とその周辺装置との概略機能構成を示すブロック図である。
まず、入力装置１０の構成について説明する。
入力装置１０は、検出部１１、スイッチ部１２、インジケータ部１３、送信部（入力装置側通信部）１４、記憶部１５、登録処理部１６１、及び色判定処理部（比較処理部）１６２を含んで構成される。登録処理部１６１及び色判定処理部１６２は、例えば、入力装置１０が備えるマイクロコントローラ（不図示）により実現される。
検出部１１は、カラーセンサを備え、色情報を検出する。検出部１１は、検出した色情報を登録処理部１６１と色判定処理部１６２とに出力する。
スイッチ部１２は、その押下に応じた信号を登録処理部１６１に出力する。
インジケータ部１３は、登録処理部１６１からの要求に応じて、点灯、点滅、消灯などを行う。本実施形態では、一例として、インジケータ部１３は、点灯により色登録処理の開始を示し、点滅により色登録処理の失敗を示し、
送信部１４は、通信用インターフェイスを備え、表示装置２０に信号を送信する。
【００２５】
記憶部１５は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などを備える。また、記憶部１５は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュメモリなどを備えてもよい。記憶部１５は、入力装置１０が備えるマイクロコントローラ（マイコン）が処理に用いる情報や処理結果などを記憶する。
記憶部１５は、色情報を記憶する。色情報は、色を表す情報であり、例えば、６桁の１６進数により色を表す色番号である。ただし、色番号は、例えば、最大２５６色、８色など、より少ない任意の数の色味を表す番号であってもよい。以下では、色情報は、色番号であるとする。また、記憶部１５は、トリガの色番号を記憶する。換言すると、記憶部１５は、トリガを示すトリガ情報を記憶する。
【００２６】
登録処理部１６１は、色登録処理を実行する。色登録処理において、まず、登録処理部１６１は、スイッチ部１２からその押下に応じた信号を受信すると、インジケータ部１３に点灯命令を出力する。次に、登録処理部１６１は、例えば、所定時間、検出部１１から出力される色番号を所定時間受信し、登録する色番号を決定する。このとき、登録処理部１６１は、検出部１１から出力値に基づいて、登録する色番号の精度を高めるための任意の処理を行ってよい。登録処理部１６１は、決定した色番号を記憶部１５に記憶させ、色を登録する。登録処理部１６１は、記憶部１５に色番号を記憶させると、インジケータ部１３に消灯命令を出力する。また、登録処理部１６１は、所定時間内に登録する色番号を決定できない場合や記憶部１５への色番号の登録が失敗した場合は、インジケータ部１３に点滅命令を出力する。以下では、色登録処理により登録される色を「登録色」という。また、以下では、色登録処理により登録可能な色を「候補色」という。
【００２７】
色判定処理部１６２は、検出部１１が出力する色番号と記憶部１５に記憶されているトリガの色番号とを比較する。比較の結果、検出部１１が出力する色番号が示す色が、トリガの色と一致すると判定した場合、色判定処理を開始する。色判定処理において、色判定処理部１６２は、検出部１１から色番号を受信し、受信した色番号を記憶部１５に記憶されている登録色の色番号と比較する。色判定処理部１６２は、比較の結果、検出部１１から受信した色番号が示す色が、登録色に一致すると判定した場合、送信部１４を介して、色変更停止命令を表示装置２０に送信する。
なお、色判定処理部１６２による比較において、色の一致は、必ずしも色番号の一致を意味しない。例えば、比較される色番号が示す色の間において、色相、明度、彩度が所定の範囲に収束している場合、色判定処理部１６２は、色が一致すると判定してよい。
【００２８】
次に、位置検出装置４０の構成について説明する。
位置検出装置４０は、タッチ検出部４１、位置座標計算部４２、及び情報処理装置３０と通信する通信部４３を含んで構成される。
タッチ検出部４１は、タッチパネル５０へのタッチを検出する。タッチ検出部４１によるタッチの検出方法は、例えば、抵抗膜方式、表面型静電容量方式、投影型静電容量方式、超音波表面弾性波方式、赤外線光学イメージング方式、及び赤外線遮断方式などである。
位置座標計算部４２は、タッチ検出部４１により検出されたタッチ位置の座標を計算する。位置座標計算部４２は、計算したタッチ位置の座標を示す位置情報を、通信部４３を介して、情報処理装置３０に送信する。つまり、タッチ検出部４１と位置座標計算部とは、表示部２１への入力位置を示す位置情報を検出する位置検出部を構成する。
【００２９】
次に、情報処理装置３０の構成について説明する。
情報処理装置３０は、位置検出装置４０と通信する通信部３１、画像信号生成部３２、及び画像信号出力部３３を含んで構成される。
画像信号出力部３３は、通信部３１を介して、位置検出装置４０から位置情報を取得する。画像信号生成部３２は、取得した位置情報に基づいて、タッチパネル５０に入力された手書き入力に対応する画像を示す画像信号を生成する。画像信号出力部３３は、画像信号を表示装置２０に出力する。
【００３０】
次に、表示装置２０の構成について説明する。
表示装置２０は、表示部２１、画像信号入力部２２、受信部（表示装置側通信部）２３、記憶部２４、及び画像信号処理部２５を含んで構成される。画像信号処理部２５は、例えば、表示装置２０が備えるマイクロコントローラ（不図示）により実現される。
画像信号入力部２２は、情報処理装置３０から出力された画像信号を受け付け、画像信号処理部２５に出力する。
受信部２３は、通信用インターフェイスを備え、入力装置１０から送信された信号を受信する。
記憶部２４は、例えば、ＲＯＭ、ＲＡＭなどを備える。また、記憶部２４は、ＨＤＤ（Ｈａｒｄ  Ｄｉｓｃ  Ｄｒｉｖｅ）、ＥＥＰＲＯＭ、フラッシュメモリなどを備えてもよい。記憶部２４は、マイクロコントローラが処理に用いる情報や処理結果などを記憶する。
【００３１】
また、記憶部２４は、フレーム単位の画像を表す画像信号（以下、「フレーム画像」という。）と、それまでの処理で蓄積された画像（以下、「蓄積画像」という。）を表す画像信号とを記憶する。フレーム画像は、そのフレームの間に入力された画像を表し、その前のフレームまでに入力された画像との差分を表す画像である。換言すると、フレーム画像とは、フレームに対応付けられた時系列の画像が有する画素のうち、２つのフレームに対応する２つの画像間において、その表示が異なる画素により構成される領域を表す画像である。
【００３２】
ここで、図５を参照して、記憶部２４に記憶される画像が表す画像について説明する。
図５は、表示装置２０の記憶部２４が記憶する画像信号が表す画像の例を示す図である。
図５（ａ）〜（ｃ）は、タッチパネル５０に対して、「Ａ」という文字が入力される過程における各種画像を表す。
図５（ａ）は、あるフレームＦ１におけるフレーム画像の一例を表す。
図５（ｂ）は、フレームＦ１の次のフレームＦ２におけるフレーム画像の一例を表す。
図５（ｃ）は、フレームＦ２における蓄積画像の一例を表す。
色変更処理における色の変更は、フレーム画像単位で行われる。色変更処理により確定した色のフレーム画像は、蓄積画像に統合される。具体的には、例えば、フレームＦ２において、色変更処理は、図５（ｂ）に示される線分Ｌ１に対して実行される。そして、フレームＦ２の次のフレームにおいて、図５（ｃ）に示される破線の線分Ｌ２が色変更処理により確定した色で、図５（ｃ）に示される画像に統合される。
【００３３】
図４を参照して、表示装置２０の構成について説明を続ける。
画像信号処理部２５は、画像信号入力部２２が出力する画像信号を受け付け、画像信号に対応する画像データを生成する。画像信号処理部２５は、生成した画像データと記憶部２４に記憶されている蓄積画像の画像データを比較し、それぞれの画像データが示す画像に差がある場合、その差分であるフレーム画像の画像データを生成する。画像信号処理部２５は、生成したフレーム画像の画像データを記憶部２４に記憶させる。
【００３４】
フレーム画像を生成しなかった場合、画像信号処理部２５は、記憶部２４から蓄積画像の画像データを読み出し、読み出した画像データに対応する画像信号を生成する。画像信号処理部２５は、生成した画像信号を表示部２１に出力して蓄積画像を表示させる。
また、フレーム画像を生成した場合、画像信号処理部２５は、色変更処理を開始する。まず、画像信号処理部２５は、記憶部２４から蓄積画像の画像データとフレーム画像の画像データとを読み出す。次に、画像信号処理部２５は、読み出した蓄積画像の画像データと、フレーム画像の画像データとに基づいて、蓄積画像のうちフレーム画像に対応する画素の色を変更した画像の画像信号を生成する。画像信号処理部２５は、生成した画像信号を表示部２１に表示する。
【００３５】
ここで、図３、図５を参照して、画像信号処理部２５による色変更処理の具体例について説明する。一例として、記憶部２４に図５（ｂ）に示されるフレーム画像と、図５（ｃ）に示される蓄積画像とが記憶され、タッチ領域の色は、図３に示される順序で変更されるとする。色変更処理において、画像信号処理部２５は、図５（ｃ）において実線により示される蓄積画像と、破線Ｌ２により示されるフレーム画像とを統合した画像の画像信号を生成する。このとき、画像信号処理部２５は、タッチ領域である破線Ｌ２に対応する画素のみ色を変更した画像信号を順次生成する。
【００３６】
具体的には、まず、画像信号処理部２５は、破線Ｌ２に対応する画素をトリガの色である黒色とした画像信号を生成し、所定時間、当該画像を表示部２１に表示させる。次に、画像信号処理部２５は、破線Ｌ２に対応する画素をトリガの色である白色とした画像信号を生成し、所定時間、当該画像を表示部２１に表示させる。次に、画像信号処理部２５は、破線Ｌ２に対応する画素をカラーマーカＭ１の色である赤色とした画像信号を生成し、所定時間、当該画像を表示部２１に表示させる。その後も同様に、順次、画像信号処理部２５は、破線Ｌ２に対応する画素の色を変更した画像の画像信号を生成し、所定時間、当該画像を表示部２１に表示させる。ここで、所定時間は、例えば、入力装置１０が、表示部２１により表示されている色を検出し、検出した色に基づく色判定信号を表示装置２０に送信し、当該色判定信号を表示装置２０が認識するのに十分な長さの時間である。
【００３７】
画像信号処理部２５は、受信部２３を介し、入力装置１０から色変更停止命令を色変更処理の途中で受け付けた場合、又は、色変更処理による色の変更が一巡した場合、そのとき出力している画像信号に対応する画像データを生成する。そして、画像信号処理部２５は、生成した画像データを蓄積画像の画像データとして記憶部２４に記憶させる。このように、画像信号処理部２５は、色変更処理により、タッチ領域の色を確定する。
【００３８】
次に、図６から図９を参照して、表示システム１の動作について説明する。
図６は、表示システム１による処理の流れの一例を示すシーケンス図である。
（ステップＳ１０１）まず、入力装置１０は、ユーザによる操作に応じて、色登録処理を実行する。その後、表示システム１は、ステップＳ１０２に処理を進める。
（ステップＳ１０２）次に、入力装置１０は、ユーザにより操作され、そのペン先でタッチパネル５０にタッチする。その後、表示システム１は、ステップＳ１０３に処理を進める。
（ステップＳ１０３）次に、位置検出装置４０は、タッチパネル５０へのタッチを検出し、タッチ領域を示す位置情報を生成する。その後、表示システム１は、ステップＳ１０４に処理を進める。
【００３９】
（ステップＳ１０４）次に、位置検出装置４０は、生成した位置情報を情報処理装置３０に送信する。その後、表示システム１は、ステップＳ１０５に処理を進める。
（ステップＳ１０５）次に、情報処理装置３０は、位置検出装置４０から送信された位置情報に基づいて、画像信号を生成する。その後、表示システム１は、ステップＳ１０６に処理を進める。
（ステップＳ１０６）次に、情報処理装置３０は、生成した画像信号を表示装置２０に出力する。その後、表示システム１は、ステップＳ１０７に処理を進める。
【００４０】
（ステップＳ１０７）次に、表示装置２０は、取得した画像信号に基づいて、蓄積画像と取得した画像信号が表す画像とを比較する。蓄積画像と画像信号が表す画像とが異なる場合、表示装置２０は、色変更処理を開始する。その後、表示システム１は、ステップＳ１０８に処理を進める。また、表示装置２０は、色変更停止命令を入力装置１０から受信すると、タッチ領域の色を確定する。その後、表示システム１は、ステップＳ１０９に処理を進める。また、蓄積画像と画像信号が表す画像とが異なる場合、表示システム１は、ステップＳ１０９に処理を進める。
（ステップＳ１０８）次に、入力装置１０は、表示装置２０により表示されたトリガを検出し、色判定処理を開始する。入力装置１０は、色判定処理により色変更停止命令を表示装置２０に送信する。その後、表示システム１は、ステップＳ１０９に処理を進める。
（ステップＳ１０９）次に、表示装置２０は、確定した色により画像を表示する。そして、表示システム１は、図６に示される処理を終了する。
【００４１】
図７は、入力装置１０における色登録処理の流れの一例を示すフローチャートである。
（ステップＳ２０１）まず、入力装置１０は、ユーザにより操作され、その筐体１０１のペン先部分において、タッチパネル５０の画面上に表示されているカラーマーカにタッチする。その後、ステップＳ２０２の処理を行う。
（ステップＳ２０２）次に、入力装置１０の登録処理部１６１は、ユーザによるスイッチ部１２の押下を受け付ける。その後、登録処理部１６１は、ステップＳ２０３に処理を進める。
（ステップＳ２０３）次に、登録処理部１６１は、インジケータ部１３に点灯命令を出力し、インジケータ部１３を点灯させる。その後、登録処理部１６１は、ステップＳ２０４に処理を進める。
【００４２】
（ステップＳ２０４）次に、登録処理部１６１は、検出部１１が検出したカラーマーカの色番号を取得する。その後、登録処理部１６１は、ステップＳ２０５に処理を進める。
（ステップＳ２０５）次に、登録処理部１６１は、取得した色番号を記憶部２４に記憶させ、色を登録する。その後、登録処理部１６１は、ステップＳ２０６に処理を進める。
（ステップＳ２０６）次に、登録処理部１６１は、色の登録に成功したか否かを判定する。色の登録に成功しなかった場合、すなわち、色の登録に失敗した場合（ステップＳ２０６；ＮＯ）、登録処理部１６１は、ステップＳ２０７に処理を進める。また、色の登録に成功した場合（ステップＳ２０６；ＹＥＳ）、登録処理部１６１は、ステップＳ２０８に処理を進める。
【００４３】
（ステップＳ２０７）次に、登録処理部１６１は、インジケータ部１３に点滅命令を出力し、インジケータ部１３を点滅させる。その後、登録処理部１６１は、ステップＳ２０２に処理を戻す。
（ステップＳ２０８）次に、登録処理部１６１は、インジケータ部１３に消灯命令を出力する。その後、登録処理部１６１は、ステップＳ２０９に処理を進める。
（ステップＳ２０９）次に、登録処理部１６１は、スイッチ部１２をオフにする。そして、入力装置１０は、図７に示される処理を終了する。
【００４４】
図８は、表示装置２０による色変更処理の流れの一例を示すフローチャートである。
（ステップＳ３０１）まず、画像信号処理部２５は、表示部２１にフレーム画像が示すタッチ領域をトリガの色で表示させる。その後、画像信号処理部２５は、ステップＳ３０２に処理を進める。
（ステップＳ３０２）次に、画像信号処理部２５は、表示部２１に色番号Ｎを、例えば、Ｎ＝０として初期化する。その後、画像信号処理部２５は、ステップＳ３０３に処理を進める。
【００４５】
（ステップＳ３０３）次に、画像信号処理部２５は、タッチ領域の色を色番号Ｎが示す色として、所定時間、表示部２１に表示させる。その後、画像信号処理部２５は、ステップＳ３０４に処理を進める。
（ステップＳ３０４）次に、画像信号処理部２５は、入力装置１０から色変更停止命令を受信したか否かを判定する。色変更停止命令を受信した場合（ステップＳ３０４；ＹＥＳ）、画像信号処理部２５は、ステップＳ３０５に処理を進める。また、色変更停止命令を受信しなかった場合（ステップＳ３０４；ＮＯ）、画像信号処理部２５は、ステップＳ３０６に処理を進める。
（ステップＳ３０５）次に、画像信号処理部２５は、タッチ領域の色を色番号Ｎが表す色に確定する。その後、画像信号処理部２５は、図８に示される処理を終了する。
【００４６】
（ステップＳ３０６）次に、画像信号処理部２５は、色番号Ｎが最大値Ｍ以上か否かを判定する。色番号Ｎが最大値Ｍ以上である場合（ステップＳ３０６；ＹＥＳ）、画像信号処理部２５は、ステップＳ３０７に処理を進める。色番号Ｎが最大値Ｍ未満である場合（ステップＳ３０６；ＮＯ）、画像信号処理部２５は、ステップＳ３０８に処理を進める。
（ステップＳ３０７）次に、画像信号処理部２５は、色番号Ｎを、所定の色に変更する。すなわち、色変更処理が一巡しても、色変更停止命令が受信されない場合は、例えば黒色など、所定の色でタッチ領域の色が表示される。これにより、例えば、ユーザは指などによりタッチ入力した場合は、表示装置２０は所定の色で描画することができる。その後、画像信号処理部２５は、ステップＳ３０５に処理を進める。
（ステップＳ３０８）次に、画像信号処理部２５は、色番号Ｎを次の候補色の色番号に変更する。その後、画像信号処理部２５は、ステップＳ３０３に処理を戻す。
【００４７】
図９は、入力装置１０における色判定処理の流れの一例を示すフローチャートである。
（ステップＳ４０１）まず、入力装置１０の色判定処理部１６２は、検出部１１が検出した色がトリガであるか否かを判定する。トリガである場合（ステップＳ４０１；ＹＥＳ）、色判定処理部１６２は、ステップＳ４０２に処理を進める。また、トリガではない場合（ステップＳ４０１；ＮＯ）、色判定処理部１６２は、ステップＳ４０１に処理を戻す。
（ステップＳ４０２）次に、色判定処理部１６２は、検出部１１が検出した色の色番号と記憶部１５に記憶されている登録色の色番号とを比較し、検出した色が登録色であるか否かを判定する。検出した色が登録色である場合（ステップＳ４０２；ＹＥＳ）、色判定処理部１６２は、ステップＳ４０３に処理を進める。また、検出した色が登録色ではない場合（ステップＳ４０２；ＮＯ）、ステップＳ４０４に処理を進める。
【００４８】
（ステップＳ４０３）次に、色判定処理部１６２は、送信部１４を介して、色変更停止命令を表示装置２０に送信する。そして、色判定処理部１６２は、図９に示される処理を終了する。
（ステップＳ４０４）次に、色判定処理部１６２は、ステップＳ４０１の処理において、トリガの色を検出してから所定時間経過したか否かを判定する。所定時間経過している場合（ステップＳ４０４；ＹＥＳ）、色判定処理部１６２は、図９に示される処理を終了する。所定時間経過していない場合（ステップＳ４０４；ＮＯ）、色判定処理部１６２は、ステップＳ４０２に処理を戻す。
【００４９】
以上のように、本実施形態に係る表示システム１は、入力装置１０と表示装置２０とを備える。また、表示装置２０は、入力装置１０から受信する色判定信号に基づいて、表示部２１が表示する画像の色を順次変更する色変更処理を行う画像信号処理部２５を備える。また、入力装置１０は、表示装置２０が表示する画像の色を自装置に登録されている色と比較して、比較結果に基づく色判定信号を、送信部１４を介して、表示装置２０に送信する色判定処理部１６２を備える。
これにより、表示システム１は、そのユーザの所望の色で描画を行うことができ、色入力の操作性を向上させることができる。
【００５０】
また、表示装置２０は、トリガを表示させてから色変更処理を行う。そして、入力装置１０は、トリガを検出してから色判定処理を行う。
これにより、表示装置２０は、入力装置１０に色変更処理の開始を通知することができる。
なお、表示装置２０の画像信号処理部２５は、図８に示される処理を終了した際の画像の画像信号を、表示装置２０に備えた不揮発メモリに記憶させ、又は、情報処理装置３０等の他の装置に出力してもよい。
【００５１】
また、入力装置１０は、検出部１１が検出した色情報を記憶部１５に記憶させ、登録する登録処理部１６１を備える。
これにより、ユーザは、例えば、表示装置２０が表示可能な任意の色を入力装置１０に登録することができるため、そのユーザの所望する任意の色で描画を行うことができる。従って、表示システム１は、色入力の操作性を向上させることができる。
【００５２】
また、入力装置１０は、入力装置１０への色の登録の開始、完了、失敗などを報知するインジケータ部１３を備える。
これにより、ユーザは、色登録処理の進捗を把握することができる。従って、表示システム１は、色入力の操作性を向上させることができる。
【００５３】
また、入力装置１０は、表示装置２０による色変更処理を停止させるための色変更停止命令を色判定信号として送信する。
これにより、表示システム１は、入力装置１０から色変更停止命令を１回送信するだけでタッチ領域の表示色を確定することができる。つまり、通信に係る処理量を低減することができ、入力装置１０の電力消費を低減することができる。従って、表示システム１は、その操作性を向上させることができる。
【００５４】
（第２の実施形態）
以下、図面を参照しながら本発明の第２の実施形態について説明する。
上述した実施形態と同一の構成については同一の符号を付して説明を援用する。
まず、図１０及び図１１を参照して、第２実施形態に係る表示システム１ａ（図１２）の概要を説明する。
表示システム１ａは、表示システム１（図４）における１つの入力装置１０に代えて２つの入力装置１０（図１２）を含み、表示システム１における表示装置２０（図４）に代えて表示装置２０ａ（図１２）を含んで構成される。表示システム１ａは、複数の入力装置１０を備え、これら２つの入力装置１０各々により指定された色による描画を行う表示システムである。
なお、入力装置１０は２つ以上の複数であってもよいが、以下では説明を簡潔にするため、一例として、表示システム１ａが２つの入力装置１０を備える例について説明する。
【００５５】
図１０は、表示システム１ａの概要を説明するための図である。
図１０に示される例では、図２に示される例と同様に、タッチパネル５０は、カラーマーカＭ１〜Ｍ３を表示している。図１０に示される例では、２つの入力装置１０−１、１０−２が、それぞれ、タッチ領域２１２、２１３において、タッチパネル５０にタッチしている。表示装置２０ａは、これら２つのタッチ領域２１２、２１３について、順次それぞれの表示色を変更する色変更処理を実行する。色変更処理の順序は、例えば、タッチ領域の座標に基づいて決定される。以下では、一例として、表示装置２０ａは、複数の入力装置１０による複数のタッチ領域それぞれの画素のうち、水平方向の座標値が最小である画素の中で、垂直方向の座標値が最小の画素の座標値を水平方向及び垂直方向について比較し、その座標値の昇順に色変更処理を実行するとして説明する。具体的には、図１０に示される例において、水平方向の座標値が左から右へ向かって大きくなり、垂直方向の座標値が上から下へ向かって大きくなる場合、タッチ領域２１２の水平方向の座標値がタッチ領域２１３の水平方向の座標値に比して大きい。従って、表示装置２０ａは、タッチ領域２１２について、色変更処理を実行した後、タッチ領域２１３について色変更処理を実行する。
【００５６】
図１１は、色変更処理の概要を説明するための図である。
図１１は、図１０に示される領域２１２、２１３の色の経時変化を示す。図１１に示される例において、横軸は、時間ｔを示し、時点Ｔ１’〜Ｔ１０’へと時間が遷移している。すなわち、表示装置２０ａは、図１１において時点Ｔ１’〜Ｔ１０’にそれぞれ対応付けられている色へと、タッチ領域２１２、２１３の色を順次変更する。具体的には、表示装置２０ａは、入力装置１０−１、１０−２それぞれから色変更停止命令を受信しない限り、タッチ領域２１２、２１３の色を、例えば、白色、黒色、白色、赤色、青色、緑色、黒色の順に変更する。図１０を用いて説明したように、表示装置２０ａは、タッチ領域２１２について色変更処理を実行した後で、タッチ領域２１３の色変更処理を実行する。図１１を参照して、具体例を説明すると、例えば、入力装置１０−１の登録色が赤色の場合、表示装置２０ａは、まず、タッチ領域２１２の表示色を順に変更し、入力装置１０−１から時点Ｔ４’において受信する色変更停止命令に基づいて、タッチ領域２１２の表示色を確定する。次に、表示装置２０ａは、タッチ領域２１３の表示色の変更を時点Ｔ５’から開始し、入力装置１０−２から受信する色変更停止命令に基づいて、タッチ領域２１３の表示色を確定する。このように、表示装置２０ａは、複数のタッチ領域の色変更処理を、時間をずらして実行することにより、複数の入力装置１０−１、１０−２それぞれの登録色で、対応するタッチ領域を表示することができる。
【００５７】
次に、図１２を参照して、表示システム１ａに含まれる各種装置の構成について説明する。
図１２は、入力装置１０−１、１０−２と表示装置２０ａとその周辺装置との概略機能構成を示すブロック図である。
入力装置１０−１、１０−２が備える構成は、入力装置１０と同一であるため、説明を省略する。また、情報処理装置３０、位置検出装置４０の構成も上述した実施形態と同一であるため、説明を省略する。
【００５８】
表示装置２０ａは、表示装置２０（図４）における画像信号処理部２５（図４）に代えて画像信号処理部２５ａ（図１２）を含んで構成される。
画像信号処理部２５ａは、画像信号処理部２５が有する機能に加え、タッチパネル５０に対して同時に行われたタッチについて、タッチ領域を分離する処理を行う。この処理において、画像信号処理部２５ａは、まず、図５を用いて説明したように、フレーム画像を生成する。次に、画像信号処理部２５ａは、生成したフレーム画像において、入力が検出された領域を、その入力の連続性に基づいて、分離する。具体的には、画像信号処理部２５ａは、入力された画素それぞれが水平方向、垂直方向、又は斜め方向において連続しているか否かを判定する。連続しているとは、例えば、入力された画素同士が各方向において数画素以内の距離にあることをいう。このように画像信号処理部２５ａは、分離されたフレーム画像の各領域を、異なる入力装置１０、指などによるタッチに対応するタッチ領域として特定する。
【００５９】
画像信号処理部２５ａは、特定した各タッチ領域に対して、色変更処理を行う順序を決定する。色変更処理を行う順序は、上述したように、例えば、各タッチ領域の座標値に基づいて決定される。画像信号処理部２５ａは、決定した順序に従い、各タッチ領域の色変更処理を順次行う。
【００６０】
次に、図１３を参照して、表示装置２０ａの動作について説明する。
図１３は、表示装置２０ａにおける色変更処理の流れの一例を示すフローチャートである。
（ステップＳ５０１）画像信号処理部２５ａ（図１２）は、フレーム画像から特定した各タッチ領域について、ステップＳ５０２〜Ｓ５０９の処理を実行する。画像信号処理部２５ａは、未処理のタッチ領域がなくなるまで、ステップＳ５０２〜ステップＳ５０９の処理を繰り返し実行する。その後、画像信号処理部２５ａは図１３に示される処理を終了する。ステップＳ５０２〜Ｓ５０９の処理は、それぞれ、図８を用いて説明したステップＳ３０１〜Ｓ３０８の処理に対応するため、ここでは説明を省略する。
【００６１】
以上説明したように、本実施形態に係る表示システム１ａにおいて、表示装置２０ａの画像信号処理部２５ａは、タッチ領域を特定し、複数のタッチ領域が特定された場合に、複数のタッチ領域毎に色変更処理を行う。
これにより、表示システム１ａは、複数の入力装置１０によりタッチパネル５０への入力が行われた場合であっても、各入力装置１０に登録された色で描画を行うことができる。従って、表示システム１ａは、色入力の操作性を向上させることができる。
【００６２】
次に、図１４を参照して、上述した各実施形態に係る表示システムの変形例について説明する。
変形例に係る表示システム１ｂは、入力装置１０ｂと、表示装置２０ｂとを備える。
表示装置２０ｂは、表示部２１と、入力装置１０ｂと通信する通信部（表示装置側通信部）２３と、画像信号処理部２５ｂと、を備える。
画像信号処理部２５ｂは、受信部２３が入力装置１０ｂから受信する色判定信号に基づいて、表示部２１に表示させる画像の色を順次変更する色変更処理を行う。
入力装置１０ｂは、検出部１１と、通信部（入力装置側通信部）１４と、記憶部１５と、色判定処理部１６２と、を備える。
検出部１１は、表示装置２０ｂの表示部２１が表示する画像の色に関する色情報を検出する。
記憶部１５は、色情報を記憶する。
色判定処理部１６２は、検出部１１が検出する色情報と、記憶部１５に記憶されている色情報とを比較する。
送信部１４は、色判定処理部１６２による比較結果に基づいて、色判定信号を表示装置２０ｂに送信する。
これにより、表示システム１ｂは、そのユーザの所望の色で描画を行うことができ、色入力の操作性を向上させることができる。
【００６３】
なお、上述した各実施形態において、表示装置２０、２０ａは、例えば、パーソナルコンピュータ、携帯電話、タブレット、スマートフォン、ＰＨＳ（Ｐｅｒｓｏｎａｌ  Ｈａｎｄｙ−ｐｈｏｎｅ  Ｓｙｓｔｅｍ）端末装置、ＰＤＡ（Ｐｅｒｓｏｎａｌ  Ｄｉｇｉｔａｌ  Ａｓｓｉｓｔａｎｔ）、ゲーム機などのタッチパネルを備えた電子機器であってもよい。
【００６４】
なお、上述した各実施形態において、表示装置２０、２０ａの画像信号処理部２５、２５ａは、色変更処理における色番号の変更を、１ずつ行ってもよい。具体的には、図８のステップＳ３０８において、画像信号処理部２５は、色番号Ｎに１を加算（Ｎ＝Ｎ＋１）して、色を変更してもよい。このとき、入力装置１０は、例えば、検出した色が自装置に登録されている色番号の色と完全に一致する場合に、色変更停止命令を表示装置２０に送信する。これにより、表示装置２０は、タッチ領域の表示色を入力装置１０の登録色により確実に一致させることができ、ユーザの所望の色を正確に再現することができる。
また、色変更処理において表示される色の順序は、ユーザなどの任意に定められてもよい。例えば、色変更処理において、表示装置２０、２０ａ、２０ｂは、色番号の降順に従って色を変更してもよい。
【００６５】
なお、上述した各実施形態において、情報処理装置３０は、画像信号に代えて画像データを表示装置２０、２０ａに送信してもよい。また、情報処理装置３０は、表示装置２０の画像信号処理部２５、２５ａが有する機能の一部を有してもよい。例えば、情報処理装置３０は、フレーム画像の画像データを生成し、表示装置２０に送信してもよい。この場合、表示装置２０は、情報処理装置３０から受信したフレーム画像の画像データに基づいて、色変更処理を行う。また、例えば、情報処理装置３０は、フレーム画像に基づいて、複数のタッチ領域を特定し、特定した各タッチ領域の範囲を表す情報を表示装置２０に送信してもよい。この場合、表示装置２０は、情報処理装置３０から受信したタッチ領域の範囲を表す情報に基づいて、特定された各タッチ領域に対する色変更処理を行う。
【００６６】
なお、上述した各実施形態において、入力装置１０は、複数の色を登録可能としてもよい。この場合、入力装置１０は、例えば、登録した色をユーザに選択させるボタンを備え、当該ボタンの押下により選択された登録色に基づいて、色判定処理を行う。これにより、ユーザは、登録色を変更する度に色登録処理を入力装置１０に行わせる必要がなくなるため、表示システム１ａは、色入力の操作性を向上させることができる。
また、登録色の色番号は、予め入力装置１０、１０ｂの記憶部１５に記憶されていてもよい。この場合、入力装置１０、１０ｂは、予め登録されている登録色の色番号に基づいて、色判定処理を行う。
【００６７】
なお、上述した各実施形態における入力装置１０、１０ｂ、表示装置２０、２０ａ、２０ｂ、情報処理装置３０、位置検出装置４０の一部、例えば、登録処理部１６１、色判定処理部１６２、画像信号処理部２５、２５ａ、２５ｂ、画像信号生成部３２、位置座標計算部４２などをコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、入力装置１０、表示装置２０、２０ａ、情報処理装置３０、位置検出装置４０に内蔵されたコンピュータシステムであって、ＯＳ（Ｏｐｅｒａｔｉｎｇ  Ｓｙｓｔｅｍ）や周辺機器等のハードウェアを含むものとする。
【００６８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００６９】
また、上述した実施形態における入力装置１０、表示装置２０、２０ａ、情報処理装置３０、位置検出装置４０の一部、又は全部を、ＬＳＩ（Ｌａｒｇｅ  Ｓｃａｌｅ  Ｉｎｔｅｇｒａｔｉｏｎ）等の集積回路として実現してもよい。入力装置１０、表示装置２０、２０ａ、情報処理装置３０、位置検出装置４０の各機能部は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【００７０】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００７１】
（付記１）
画像を表示する表示部と、
前記表示部に前記画像を表示させる画像信号処理部と、
入力装置からの信号を受信する受信部と、
を備え、
前記画像信号処理部は、前記表示部の一部の領域の色を順次変更する色変更処理を行うとともに、前記受信部が前記入力装置から色変更処理の停止を指示する信号を受信した場合、前記色変更処理を停止する
表示装置。
【００７２】
（付記２）
前記一部の領域は、位置検出部が検出した位置情報が示す入力位置に対応した領域を含む、付記１に記載の表示装置。
【００７３】
（付記３）
表示装置が備える表示部の一部の領域の色である対象色を検出し、該対象色の色情報である対象色情報を取得する検出部と、
登録色情報を記憶する記憶部と、
前記対象色情報と前記登録色情報とが一致するか否かを判定する色判定処理を行い、前記対象色情報と前記登録色情報とが一致する場合に、色判定信号を生成する色判定処理部と、
前記色判定信号を前記表示装置に送信する送信部と、
を備える入力装置。
【００７４】
（付記４）
前記一部の領域は、位置検出部が検出した位置情報が示す入力位置に対応した領域を含む、付記３に記載の入力装置。
【符号の説明】
【００７５】
１、１ａ、１ｂ    表示システム
１０、１０−１、１０−２、１０ｂ    入力装置
１０１    筐体
１０２    孔部
１１    検出部
１２    スイッチ部
１３    インジケータ部
１４    通信部（入力装置側通信部）
１５    記憶部
１６１    登録処理部
１６２    色判定処理部
２０、２０ａ、２０ｂ    表示装置
２１    表示部
２２    画像信号入力部
２３    通信部（表示装置側通信部）
２４    記憶部
２５、２５ａ、２５ｂ    画像信号処理部
３０    情報処理装置
３１    通信部
３２    画像信号生成部
３３    画像信号出力部
４０    位置検出装置
４１    タッチ検出部
４２    位置座標計算部
４３    通信部
５０    タッチパネル
２１１〜２１３    タッチ領域
Ｍ１〜Ｍ３    カラーマーカ
Ｔ１〜Ｔ７、Ｔ１’〜Ｔ１０’    時点
【図１】
2016056116.tif 000003
【図２】
2016056116.tif 000004
【図３】
2016056116.tif 000005
【図４】
2016056116.tif 000006
【図５】
2016056116.tif 000007
【図６】
2016056116.tif 000008
【図７】
2016056116.tif 000009
【図８】
2016056116.tif 000010
【図９】
2016056116.tif 000011
【図１０】
2016056116.tif 000012
【図１１】
2016056116.tif 000013
【図１２】
2016056116.tif 000014
【図１３】
2016056116.tif 000015
【図１４】
2016056116.tif 000016
【国際調査報告】
2016056116.tif 000017
2016056116.tif 000018
2016056116.tif 000019
2016056116.tif 000020